(57)【特許請求の範囲】
【請求項１】
遊技メダルを側面側から受け入れ可能な側方移送通路を有するメダル投入口を備えた遊技機に隣接して設置され、遊技メダルを一括投入可能な一括投入開口と、一括投入された遊技メダルを一枚ずつ分離して送り出すメダル送り装置と、メダル送り装置から送り出された遊技メダルを前記遊技機の側方移送通路に誘導する投入導入路とを少なくとも備える遊技機用台間機において、
前記投入導入路は、遊技機用台間機の正面側に固定されるベース部と、ベース部の正面側に位置するカバー部とから成り、底部には遊技メダルが落下可能な落下開口が設けられ、
前記ベース部とカバー部との間には、上側から遊技メダルを受け入れ可能なメダル受け口及び側方に遊技メダルを排出可能なメダル排出口を有する移送通路が形成され、
この移送通路は、投入導入路の手前側に位置し通路内を移動する遊技メダルの表面と対向する前壁部と、前壁部との間にほぼ遊技メダル一枚分の厚さの間隙を開けて奥側に位置し通路内を移動する遊技メダルの裏面と対向する奥壁部と、遊技メダルの円周面を下方から支持する底面部とを少なくとも備え、
前記前壁部は、前記ノズル部内に上下方向にスライド自在に支持されているとともに、
少なくとも横幅が遊技メダルの直径よりも大きく形成された開口部を有し、
前記前壁部の上方へのスライドに伴う前記開口部の上方移動によって、前記移送通路の底面部より上側に、遊技メダルが移送通路から前記開口部を通過して下方に落下可能な脱落開口が生じるように形成され、
前記脱落開口を生じさせた状態で前記前壁部を位置固定可能であるとともに、位置固定されている前記前壁部をさらに上昇移動させることによって前記前壁部の固定を解除可能な、前壁部一時係止装置と、
前記前壁部一時係止装置により前壁部が固定されていることを報知するための前壁部開放報知部とを備えたことを特徴とする遊技機用台間機。
【発明の詳細な説明】
【技術分野】
【０００１】
この発明は、スロットマシンなどのメダル遊技機に隣接して設置される遊技機用台間機に関するものである。
【背景技術】
【０００２】
従来より、スロットマシンなどのメダルを遊技媒体とする遊技機において、効率の良い遊技を行いたいという要請、あるいは、なるべく遊技メダルに手を触れないで遊技を行いたいという要請に基づき、本体の正面に一括投入機構を取り付け、遊技メダルを直接遊技機に供給可能にした遊技機用台間機（メダル貸し出し機）が考案されている（特許文献１参照）。この遊技機用台間機に隣接設置される遊技機（スロットマシン）は、メダル投入口に側方移送通路が設けられていて、一括投入機構の一括投入口から一括投入された遊技メダルや、メダル貸出機から払い出される貸し出しメダルを、移送通路（ノズル）を通じてスロットマシンに投入するように形成されている。
【特許文献１】特開２００５−１９２７２１号公報（図１）
【発明の開示】
【発明が解決しようとする課題】
【０００３】
上記したような一括投入機構を有する遊技機用台間機にあっては、ノズル部分でのメダル詰まりをいかにして簡易かつ確実に解除するかが課題となる。この問題を解決すべく、ノズル部分を固定部材（ベース部材）とカバー部材とから構成し、カバー部材を移動させる（回動、取り外しを含む）ことにより、ノズル内部のメダル通路に詰まったメダルを取り出したり内部のメンテナンスを行うことができるように形成することが考えられる。ここで、カバー部材の開閉を遊技者に任せると、過誤や故意によるカバー開放で思わぬ事故を招くおそれがあるので、このような場合には、カバー部材の開閉は店員が鍵等を用いて行うようにするのが妥当である。
【０００４】
しかし、ノズルにメダル詰が詰まった場合には、一刻も早く詰まりを解消したいところ、遊技者自らの手で容易に詰まりを解除できるようになっていると、わざわざ店員を呼ばなくてよいので好都合である。また、メダル詰まりの場合に限らず、一括投入機構の作動中に遊技機へのメダル投入を止めたい場合には、一括投入機構内部にメダルを残さず投入メダルをキャンセルできると好ましい。
そこで、本願発明は、かかる課題に鑑みてなされたものであり、その目的とするところは、台間機から遊技機にメダルを誘導する通路におけるメダル詰まりを容易かつ確実に解消可能であり、投入メダルのキャンセルも容易に行うことができる遊技機用台間機を提供することを目的とする。
【課題を解決するための手段】
【０００５】
各請求項にそれぞれ記載された各発明は、上記した各目的を達成するためになされたものであり、各発明の特徴点を図面に示した発明の実施の形態を用いて、以下に説明する。
なお、巣へ面番号及び括弧内の符号は、発明の実施の形態において用いた番号及び符号を示し、本発明の技術的範囲を限定するものではない。
（請求項１）
（特徴点）
請求項１記載の発明は、次の点を特徴とする。
すなわち、請求項１記載の発明は、遊技メダルを側面側から受け入れ可能な側方移送通路(12)を有するメダル投入口(10)を備えた遊技機（スロットマシン１）に隣接して設置され、遊技メダルを一括投入可能な一括投入開口(31)と、一括投入された遊技メダルを一枚ずつ分離して送り出すメダル送り装置(40)と、メダル送り装置(40)から送り出された遊技メダルを前記遊技機(1)の側方移送通路(12)に誘導する投入導入路（ノズル部60）とを少なくとも備える遊技機用台間機（メダル貸出機2）に係る。
【０００６】
ここで、前記「遊技機」は、遊技メダルを遊技媒体として投入する遊技機であって、遊技機用台間機(2)を挟んで遊技場に並列設置されるものである。前記メダル投入口(10)は、遊技機に遊技メダルを投入する部分であって、遊技メダルを落とし込む孔などの開口部の他、遊技メダルを開口部に誘導するための通路や凹部も含む。例えば側方移送路(12)は、遊技メダルを上方から投入可能なスリットである上部投入開口(11)と連通していてもよい。
また、前記「遊技機用台間機」は、例えばメダル貸出機(2)とすることができ、上記構成の他にも、メダルを払い出すための払い出し装置(貸し出メダル払い出し装置23)や紙幣カウンター(22)を備えていてもよい。
【０００７】
ここで、遊技メダルの「一括投入」とは、メダルの向きを揃えて投入したり一枚ずつ投入するのではなくて、適宜手に掴んだ複数枚の遊技メダルをランダムに投入開口に投げ入れるような場合のことを言うものである。
前記メダル送り装置(40)は、搬送ベルト(53)を用いたベルト式メダル送り装置や、送り出し円板を用いたディスク式メダル送り装置などとすることができ、一括投入された遊技メダルを一枚ずつ、投入導入路(60)に送り出すことができる装置であれば、どのような構成を有していても構わない。
そして、本発明における遊技機用台間機(2)においては、前記投入導入路(60)は、遊技機用台間機の正面側に固定されるベース部（ベース部材62）と、ベース部(62)の正面側に位置するカバー部（カバー部材61）とから成り、底部には遊技メダルが落下可能な落下開口（メダル落下口69）が設けられている。また、前記ベース部(62)とカバー部(61)との間には、上側から遊技メダルを受け入れ可能なメダル受け口(67)及び側方に遊技メダルを排出可能なメダル排出口(66)を有する移送通路（メダル移送路65）が形成されており、この移送通路(65)は、投入導入路(60)の手前側に位置し通路内を移動する遊技メダルの表面と対向する前壁部（前壁部71）と、前壁部(71)との間にほぼ遊技メダル一枚分の厚さの間隙を開けて奥側に位置し通路内を移動する遊技メダルの裏面と対向する奥壁部(620)と、遊技メダルの円周面を下方から支持する底面部（メダル転送面622）とを少なくとも備えている。
【０００８】
そして、前記前壁部(71)は、前記ノズル部(60)内に上下方向にスライド自在に支持されているとともに、少なくとも横幅が遊技メダルの直径よりも大きく形成された開口部(72)を有し、前記前壁部(71)の上方へのスライドに伴う前記開口部(72)の上方移動によって、前記移送通路(65)の底面部(622)より上側に、遊技メダルが移送通路(65)から前記開口部(72)を通過して下方に落下可能な脱落開口(720)が生じるように形成されていることを特徴とする。
ここで前記投入導入路(60)は、遊技メダルが一枚ずつ通過可能な移送路(65)を有するブロック部材であり、前記「ベース部」及び「カバー部」は、別々の部材であってもよいし、一体の部材であってもよい。また、前記落下開口(69)は、投入導入路(60)の底部すべてが（例えば全長にわたって）開口しているものであってもよいし、投入導入路(60)の底部のある特定の部分に開口が設けられているものであってもよい。落下開口(69)は、ベース部(62)に形成されていても、カバー部(61)に形成されていてもよく、あるいはベース部(62)とカバー部(61)の間に形成された隙間であってもよい。
【０００９】
前記移送通路(65)は、少なくとも合対向する二つの壁部（前壁部71と奥壁部620）と底面部(622)とにより形成される、遊技メダルが一枚ずつ通過可能な空間であり、天井部を有していてもよい。前記底面部(622)は、遊技メダルがその上面を転動可能な傾斜部（メダル転送面622）や、上方から移送されてきた遊技メダルが当接して移送方向を側方に変更するための当接部（メダル当接面621）を含む。
前記前壁部(71)は、例えば側面部をガイドレール(73)に係合させて、上下方向に摺動自在に支持された板部材とすることができる。前壁部(71)の上方へのスライドは、前壁部(71)の下端部を下から押し上げるのであってもよいし、前壁部(71)の正面側に設けられ前記カバー部(61)から突出する「つまみ」によって、前壁部(71)を引き上げるのであってもよい。前壁部(71)の下方へのスライドは、前壁部(71)の自重により落下するものとしてもよいし、バネなどにより押し下げ又は引き下げ方向に付勢してもよい。
【００１０】
また、前壁部(71)は、全体が上下にスライド可能であってもよいし、その一部が上下にスライド可能であってもよい。例えば、前壁部(71)を、移送通路(65)の正面側に固定された固定部(71B)と、上下にスライド可能なスライド部(71A)とから構成してもよい。
前記開口部(72)は、少なくとも遊技メダルがくぐり抜けられる寸法に形成されており、その横幅は遊技メダルの直径よりも大きいが、縦寸法は必ずしも遊技メダルの直径よりも大きくなくてもよい。開口部(72)は、前壁部(71)が下方に位置しているときには、移送通路(65)を通過する遊技メダルが開口部(72)からこぼれ落ちることが無く、前壁部(71)が上方に移動したときに脱落開口(720)を生じさせることができるような位置及び大きさを有していればよい。
【００１１】
（作用）
本発明における移送通路(65)において、前壁部(71)が上側に移動していない場合には、開口部(72)は移送通路(65)と重複していないか、重複していてもメダルが通り抜けられる隙間を有していない位置にある。従って、メダル受け口(67)から受け入れられた遊技メダルは、前壁部(71)と奥壁部(620)の間を通り、底面部(622)に支持されつつメダル排出口(66)に移送される。
一方、前壁部(71)を上方にスライド移動させると、開口部(72)も上方に移動し、移送通路(65)と重複して脱落開口(720)が生じる。すると、移送通路(65)内部の遊技メダル、特に底面部(622)により下方から支持されていない遊技メダルやメダル受け口(67)から落下してくる遊技メダルは、前壁部(71)の支えを失って、開口部(72)をくぐり抜けるようにして前記脱落開口(720)から下方に自然落下する。つまり、本発明において、隙間から落下する「移送通路(65)内部の遊技メダル」は、底面部(622)の上にある遊技メダルとは限られない。
【００１２】
ところで、本発明においては、前記移送通路(65)を、メダル受け口(67)から受け入れた遊技メダルが、前記前壁部(71)と奥壁部(620)との間を通ってほぼ垂直に落下する垂直落下部(65A)と、垂直落下部(65A)を落下した遊技メダルが前記底面部上を転動して前記メダル排出口に転送される傾斜転送部(65B)とを少なくとも有するものとして形成し、前記前壁部(71)を、前記垂直落下部(65A)の正面側を覆い上下に移動自在なスライド部(71A)と、前記傾斜転送部(65B)の正面側を覆う固定部(71B)とに分割し、前記スライド部(71A)を上側にスライドさせることにより、前記垂直落下部(65A)に滞留している遊技メダルが、前記脱落開口(720)から落下するように形成することができる。
【００１３】
すなわち、移送通路(65)を、正面視略Ｌ字型に形成し、前壁部(71)の一部を上方に移動させることにより、垂直落下部(65A)に詰まった遊技メダルを落下開口(69)から排出させるようにしたものである。これは、垂直落下部(65A)の下方すなわち移送通路(65)の屈曲部は遊技メダルが最も詰まりやすい部位であり、ここに詰まった遊技メダルを効果的に排除しようとするものである。なお、移送通路(65)は、垂直落下部(65A)と傾斜転送部(65B)とを連結し垂直落下部(65A)を落下する遊技メダルの進行方向を傾斜転送部(65B)の方向に変更するための方向転換部（メダル当接面621）を有していてもよい。
このように形成した場合には、前壁部(71)のスライド部(71A)が上昇位置にない場合には、メダル受け口(67)から受け入れられた遊技メダルは、垂直落下部(65A)を落下して、底面部(622)に支持されつつ傾斜転送部(65B)を経てメダル排出口(66)に移送される。そして、垂直落下部(65A)においてメダル詰まりが発生した場合には、スライド部(71A)を上方にスライドさせると、垂直落下部(65A)において重なり合うようにして滞留している遊技メダルは、開口部(72)によって生じた脱落開口(720)から落下する。傾斜転送部(65B)にある遊技メダルは、そのままメダル排出口(66)に転送される。
【００１４】
また、請求項１記載の発明は、前記脱落開口(720)を生じさせた状態で前記前壁部(71)を位置固定可能であるとともに、位置固定されている前記前壁部(71)をさらに上昇移動させることによって前記前壁部(71)の固定を解除可能な、前壁部一時係止装置を備えていることをも特徴とする。
【００１５】
本発明は、前壁部(71)をスライド移動させてメダルキャンセル状態としたまま固定できるとともに、固定状態からの押し上げ又は引き上げ操作によってその固定を解除できるように形成したものである。
本発明の具体的な構成としては、例えば図１０に示すようなピンと往復溝の係合など、
周知の技術を用いることができる。
本発明によれば、メダル詰まりの解除だけでなく、メダル送り装置(40)から遊技機に移送されるメダルを途中でキャンセルする場合などに好都合である。
【００１６】
また、請求項１記載の発明は、前記前壁部一時係止装置により前壁部が固定されていることを報知するための前壁部開放報知部（報知部）を設けたことをも特徴とする。
「前壁部開放報知部」は、遊技機用台間機(2)の正面側から視認可能な位置に設けられたランプなどとすることができ、前壁部(71)が上方に固定されメダルキャンセル状態となっているときには点灯させてこれを報知することにより、キャンセル状態のままメダル送り装置(40)を作動させてしまうのを防ぐことができる。
【発明の効果】
【００１７】
本発明は、以上のように構成されているので、台間機から遊技機にメダルを誘導する通路におけるメダル詰まりを容易かつ確実に解消可能であり、投入メダルのキャンセルも容易に行える遊技機用台間機を提供することができる。
【発明を実施するための最良の形態】
【００１８】
本発明の最良の実施形態を、遊技機としてスロットマシンを、遊技機用台間機としてメダル貸出機を例に、図面に基づき説明する。
（図面の説明）
図１乃至図１０は、本発明の実施の形態を示すものである。
図１は一括投入機構３の縦断面図、図２はスロットマシン１及びメダル貸出機２の外観斜視図、図３は一括投入機構３及びメダル投入口10の拡大斜視図、図４はメダル送り装置の斜視図、図５は排出装置80及びメダル取り出し皿90の拡大断面図、図６乃至図９はノズル部を示す図、図１０は前壁部一時係止装置の一例を示す概略図である。
【００１９】
本実施の形態におけるメダル貸出機２は、スロットマシン１に隣接して設置され、一台のスロットマシンに一機ずつ対応するように設けられている。
（スロットマシン１）
スロットマシン１は、図２に示すように、筐体の正面側に取り付けられた前扉13を有し、正面側には回転リール（図示せず）の図柄を視認可能な図柄表示窓14が形成されている。また、この図柄表示窓14の下方でありスロットマシン１の略中央部は、スタートスイッチやストップスイッチなどの操作手段が設けられる操作部16となっている。そしてこの操作部16の正面右端部には、遊技メダルを投入するためのメダル投入口10が設けられている。なお、特に図示しないが、メダル投入口10の下方には、遊技メダルの真贋を判断すると共に投入メダルをカウントするためのメダルセレクターが設けられている。また、スロットマシン１の下部には、払い出しメダルを貯留可能な下皿15が設けられている。
【００２０】
ここで、メダル投入口10は、図３に示すように、上方から遊技メダルを一枚ずつ投入可能な上方投入開口11と、上方投入開口11の側方に連通する側方移送通路12とを有している。この側方移送通路12は、上方投入開口11から正面右側（メダル貸出機２側）に延設された樋状の通路であって、後述するノズル部60から送られてくる遊技メダルを受け入れ上方投入開口11に移送するためのものである。
そして、メダル投入口10から遊技メダルを投入し、スタートスイッチの操作により回転リールを回転させ、ストップスイッチの操作により回転リールを停止させ、このとき、複数の回転リールに表示された図柄が所定の位置態様に停止すると入賞となり、所定枚数のメダルが払い出されるように形成されているものである。
【００２１】
（メダル貸出機２）
メダル貸出機２は、スロットマシン１の側面側に隣接して設置される箱型の装置であって、金銭と引き替えに遊技メダルを貸し出すと共に、貸し出しメダル及び遊技者が投入するメダルをスロットマシン１のメダル投入口10に投入するためのものである。すなわち、メダル貸出機２は、図２に示すように、外箱20に、紙幣カウンター22及び貸し出しメダル払い出し装置23が内蔵されているとともに、正面側には一括投入機構３が取り付けられているものである。
紙幣カウンター22は、外箱20の正面下方に設けられた紙幣投入口21から投入された紙幣を読み取って、貸し出しメダル払い出し装置23に所定枚数の遊技メダルを払い出させるためのものである。なお、メダル貸出機としては、紙幣投入口21及び紙幣カウンター22の他に、硬貨投入口や硬貨カウンター、釣り銭払い出し口などを有していてもよい。また、プリペイドカード投入口とカードリーダーを有していてもよい。さらに、紙幣投入口21は外箱20の正面上方にあってもよく、紙幣カウンター22はメダル貸出機２の外部（例えば島設備）に設けられていてもよい。
【００２２】
貸し出しメダル払い出し装置23は、遊技メダルを払い出すためのいわゆるホッパー装置であり、特に図示しないが、遊技メダルを貯留しておくためのタンクと、タンクに貯留されている遊技メダルを一枚ずつ排出可能な送り出し円板を有している。送り出し円板は、駆動モータに回転可能に軸止されており遊技メダルが嵌入可能な孔が形成されている。そして、この孔に入った遊技メダルを、回転に伴い一枚ずつ装置の外に排出するようになっている。また、貸し出しメダル払い出し装置23には排出メダルをカウントするためのセンサが設けられていて、所定枚数の遊技メダルを払い出したら駆動モータが停止するように形成されている。
【００２３】
（一括投入機構３）
一括投入機構３は、前記貸し出しメダル払い出し装置23から払い出される遊技メダル、及び遊技者が投入する遊技メダルを、スロットマシン１のメダル投入口10に一括投入するための機構である。
具体的には、一括投入機構３は、図１及び図３に示すように、大きく分けて、メダル貸出機２の外箱20の正面に取り付けられた本体カバー30と、本体カバー30の内部に設けられたメダル送り装置40と、本体カバー30の正面側に取り付けられたノズル部60とから構成されている。
【００２４】
（本体カバー30）
本体カバー30は、図１乃至図３に示すように、メダル貸出機２の外箱20の正面略中央部から手前側（スロットマシン１を正面から見た場合の手前側。以下同じ）に突設された、上面板32、底板33、前面板34、背面板35及び左右二つの側面板36を有する箱形の部材である。そしてこの本体カバー30の内部には、搬送装置50を備えたメダル送り装置40が収納されている。
前記上面板32には、上方に開口する一括投入開口31が形成され、一括投入開口31の手前側には、カウンター状の張り出し部が形成されている。ここには、特に図示しないが、搬送装置50を作動及び作動停止させるためのタッチセンサが敷設されている。そして、このタッチセンサに手を触れることにより、搬送装置50の駆動モータ55が駆動し、タッチセンサに触れている手を離すことにより、搬送装置50の駆動モータ55が駆動を停止するようになっている。なお、搬送装置50を作動させる手段としては、タッチセンサに限られず、ボタン式のスイッチやその他の操作手段を設けてもよい。また、駆動モータ55の駆動を開始させるためのスイッチと、駆動を停止させるためのスイッチを別々に設けてもよいものである。
【００２５】
また、前記一括投入開口31の両側には、上面板32から上方に隆起する立設壁37が形成されている。これは、一括投入口31に遊技メダルを投入する際、メダルがこぼれ落ちないようにするためのものである。
そして、前記底板33の奥側には、メダル送り装置40から排出される異物やキャンセルメダルを落下させるための底部開口38が形成されており、底部開口38の下方には、キャンセルメダルその他の落下物を受け止めるメダル取り出し皿90が形成されている。
さらに、前記前面板34の下方には、ノズル部60のカバー部材61が設けられているとともに、背面板35には、背面開口39が形成されている。なお、この背面開口39からはメダル送り装置40の後方部が突出しており、メダル送り装置40が前後方向に摺動することができるようになっている。
【００２６】
（メダル送り装置40）
メダル送り装置40は、メダルを送り出すための装置であり、図１に示すように、前記本体カバー30の内部に収納される箱状の本体ベース41の内側に搬送装置50を設け、搬送装置50の奥側下方に排出装置80を設けた構成となっている。
本体ベース41は、図１及び図４に示すように、長さ方向略中央部に、上方に開口する受入開口48を有し、受入開口48の奥側には、上方に開口し内部において前記受入開口48と連通する払い出し通路42が設けられている。また、受入開口48の手前側には平坦部46が形成されており、これにより後述するメダル貯め部45の容積が確保される。本体ブロック41の前方下部には、搬送装置50が内蔵されており、本体ブロック41の正面側は、搬送装置50により送り出されたメダルをノズル部60に一枚ずつ排出するためのメダル排出部47となっている。そして、図１に示すように、前記払い出し通路42を形成する内壁の底部には、排出装置80が設けられている。
【００２７】
ここで、排出装置80は、図１及び図５に示すように、上方に突設された略円筒形の可動軸83を所定の作動指令信号（開放作動信号、閉塞作動信号）に応じて上下動させるソレノイド81と、一方の端部が前記可動軸83に軸支され、本体ブロック41に固定された固定軸84を支点として上下方向に揺動可能に形成された開閉板82を有している。そして、可動軸83が下方に位置しているときには開閉板82が閉じた状態（図１参照）となり、可動軸83が上方に位置しているときには開閉板82が開いた状態（図５参照）となるよう形成されているものである。そして、ソレノイド81の作動で開閉板82を開くことにより、メダル送り装置40内部にあるメダルや異物などを、本体ブロック41の底面に形成されたキャンセル開口49から排出させることができるようになっている。排出装置80は、所定の場合には開閉板82が開くように形成されている。
【００２８】
前記受入開口48は、図１及び図４に示すように、一括投入開口31から投入される遊技メダルを受け入れるための開口であり、開口幅の中央よりもやや後方側に、横方向に亘って設けられた仕切棒100を有している。これは、投入される遊技メダルを、極力同一方向に揃えるためである。すなわち、この仕切棒100があることにより、受入開口48に遊技メダルが縦向き（メダルの表裏面が左右方向となる向き）で投入されることがないので、ランダムに投入される遊技メダルの向きを、横向き（メダルの表裏面が前後方向となる向き）にして落下させるようになるものである。このように落下した場合には、メダルの向きが揃っているので、受入開口48の下方に位置する空間であるメダル貯め部44に、遊技メダルが平積みとなるよう貯留させることができ、搬送装置50により搬送しやすくなる。
【００２９】
また、図１に示すように、受入開口48の手前側端部には、搬送装置50の上方空間を、受入開口48の下方に位置するメダル貯め部44と、メダル貯め部44よりも手前側に位置するメダル戻り部45とに分ける移動調整弁43が取り付けられている。移動調整弁43は、メダル貯め部44からメダル戻り部45へのメダル移動を阻止し、メダル戻り部45からメダル貯め部44へのメダル移動は適宜許容することにより、搬送装置50によるメダル移送をスムーズに行わせるためのものである。
前記払い出し通路42は、メダル貸出機２の貸し出しメダル払い出し装置23から貸し出される遊技メダルを受け入れて、前記メダル貯め部44に誘導するためのものである。払い出し通路42の底面は、奥側から手前側に向かって下り傾斜となっており、傾斜の前端部が開閉板82によって開閉可能に形成されている。開閉板82が閉じているときには、メダル貯め部44に遊技メダルが貯留され、開閉板82が開いた場合には、メダル貯め部44又は搬送装置50の搬送ベルト53上にあるゴミなどの異物や遊技メダルは、キャンセル開口49から落下する。なお、キャンセル開口49から落下した異物や遊技メダルは、本体カバー30の底部開口38を通ってメダル取り出し皿90に貯留される。
【００３０】
（メダル取り出し皿90）
メダル取り出し皿90は、図５に示すように、本体カバー30の背面板35に設けられたヒンジ92を介して前後に回動自在に取り付けられている。メダル取り出し皿90は、手前側に向かって湾曲した登り傾斜を有する皿底と、奥行き方向に向かって皿底からの高さが高くなる側面板とにより形成される凹部91を有する受け皿であり、底部開口38から排出されるメダル等が落下の勢いで皿から飛び出してしまわないようになっているとともに、皿内に貯留されたメダル等を取り出しやすく形成されている。なお、凹部91にラバーなどの弾性部材を敷設すると好適である。
【００３１】
また、メダル取り出し皿90は、常態においては、図１に実線で示すように、凹部91が上側に向いた状態であり、図５に示すように、排出されるメダル等を受け入れることができるようになっている。そして前方底部を持ち上げることにより、図１に二点鎖線で示すように、ヒンジ92を中心に後方に回動し、正面側の端部が本体カバー30の底板33に当接する位置まで移動する。このようにメダル取り出し皿90が移動することにより、本体カバー30の下側の空間が広くなり、メダル貸出機２を挟んでスロットマシン１の隣に設置される他のスロットマシンの下扉を開くときに、下扉とメダル取り出し皿90が干渉することがない。
【００３２】
（搬送装置50）
搬送装置50は、本体ブロック41の前方下部に内蔵されており、メダル溜め部44に投入又は払い出された遊技メダルを、水平状態（遊技メダルの表裏面が上下となる状態）で一枚ずつ、ノズル部60へと送り出すためのものである。具体的には、搬送装置50は、図１に示すように、一対のローラ51（51A,51B）と、ローラ51A,51Bに掛け渡された搬送ベルト53と、搬送ベルト53の手前側上方に送出間隙54をあけて設置された逆転ローラ52と、ローラ51,52を回転させるための駆動モータ55と、駆動モータ55のモータ軸の回転をローラ51,52に伝達するための伝達手段（図示せず）を有している。
【００３３】
前記ローラ51は、正面側から見て前後に並列して設けられている。また、前記搬送ベルト53は、二つのローラ51A,51Bに掛け渡された平ベルトであり、表面にはゴム等を被覆して、遊技メダルとの摩擦抵抗を大きくするよう形成してある。そして、図１に示すように、手前側のローラ51Aの方が、奥側のローラ51Bよりも若干高い位置に取り付けられているので、搬送ベルト53の上面は手前側に向かってやや上り傾斜となっており、ローラ51を図１に示す黒矢印の方向に回転させることにより、搬送ベルト53の上面が手前側に移動するようになっている。
前記ローラ51と逆転ローラ52は、伝達手段により同時に回転するようになっている。伝達手段は、駆動モータ55の駆動軸、ローラ51A、逆転ローラ52にそれぞれ設けられたギヤと、これらの各ギヤを連結するベルトであって、逆転ローラ52はローラ41と同方向に回転するので、搬送ベルト53の上面の進行方向と、逆転ローラ52の下側面の移動方向とが逆になる。また、ローラ51と逆転ローラ52の直径の違いにより、逆転ローラ52の線速（ローラ表面の移動速度）の方が、ローラ51の線速よりも早くなるように形成されている。
【００３４】
そして、図１に示すように、逆転ローラ52の下端と搬送ベルト53の上面との間には、遊技メダル一枚の厚みよりも大きく、遊技メダル二枚分の厚みよりは小さい送出間隙54が形成されている。これにより、搬送ベルト53の上面に乗っている遊技メダルを、一枚ずつ手前側に送り出すとともに、搬送ベルト53の上方であって逆転ローラ42の後方にある遊技メダルをメダル戻り部45に蹴り出すようになっている。
前記逆転ローラ52には、断面略台形の撹拌溝が軸方向に沿って形成されている。撹拌溝は、溝の端部で遊技メダルを引っ掛けるようにして、搬送ベルト53の上方に積み重なった遊技メダルを効果的に後方に蹴り上げる役割を果たすものである。
【００３５】
搬送ベルト53の前方側は、後述するノズル部60のメダル受け口67と近接しており、ベルト上面に乗っている遊技メダルは、前記送出間隙54を潜ってメダル排出部47からノズル部60のメダル受け口67へと運ばれる。
（ノズル部60）
ノズル部60は、前記搬送装置50から送り出された遊技メダルをスロットマシン１のメダル投入口10に移送するためのものである。そして、ノズル部60は、図１及び図６に示すように、本体カバー30の正面下部に取り付けられるベース部材62と、本体カバー30の正面側に本体カバー30の底板33に設けられたヒンジ63を介して前後方向に回動自在に取り付けられるカバー部材61とから成り、カバー部材61がベース部材62を正面側から覆った状態、すなわちカバー部材61が閉じた状態で、本体カバー30の前面板34の下方に形成された開口部を塞ぐようになっている。
【００３６】
（ベース部材62）
前記ベース部材62は、図６に示すように、上端部に下方から上方に向かって奥方向に湾曲する湾曲部620aが形成された基体62Aと、基体62Aの正面側に位置し、上下方向に移動自在に支持される前壁部71を有している。そして、前記基体62Aの湾曲部620aと前壁部71の上部には、メダル送り装置40のメダル排出部47と連通するメダル受け口67が形成される。なお、前壁部71は、後述する詰まり解除機構70を構成するものであり、その詳細については後述する。
また、前記基体62Aと前壁部71の間には、遊技メダル一枚分の厚さよりやや大きい厚みを有し、遊技メダルの直径よりもやや大きい幅を有するメダル移送路65が形成されるようになっている。メダル移送路65は、正面視すると、図８に示すように、垂直落下部65A及び傾斜転送部65Bからなる逆Ｌ字型に形成されており、メダル受け部67からノズル部60のスロットマシン１側に屈曲して、その端部がメダル排出口66となっている（図３参照）。この点につき詳述すると、ベース部材62の基体62Aには、図８に示すように、上端部に前記湾曲部620aが形成された正面視逆Ｌ字状の奥壁部620と、この奥壁部620の下端部に位置し、遊技メダル一枚分の厚みとほぼ等しい奥行き幅をもって奥壁部620から手前側に突出するメダル当接面621及びメダル転送面622が設けられている。そして、奥壁部620、メダル当接面621及びメダル転送面622と、前壁部71の裏面との間に、メダル移送路65が形成されるものである（図６参照）。
【００３７】
前記メダル当接面621は、メダル受け口67から受け入れた遊技メダルをメダル転送面622に誘導するための傾斜面であり、メダル転送面622は、遊技メダルをメダル排出口66に移送するためのメダル当接面621よりも緩やかな傾斜面である。そして、メダル送り装置40のメダル排出部47から排出された遊技メダルは、図６に示すように、奥壁部620の湾曲部620aに沿ってメダル受け口67から受け入れられ、垂直落下部65Aを鉛直方向に落下移動する遊技メダルは、図７に示すように、メダル当接面621に当接することにより進行方向を略９０度変更し、その後メダル転送面622の上を転がって、メダル排出口66に至るようになっている。
【００３８】
また、ベース部材62には、メダル移送路65を通過する遊技メダルを検知するためのメダル検知センサ64が設けられている。メダル検知センサ64は、基体62Aに設けられた近接センサであり、磁界の変化を検出して遊技メダルの通過を検知するものである。そして、メダル送り装置40が遊技メダルを送り出している間は、このメダル検知センサ64が遊技メダルを検出している。なお、メダル検知センサ64は近接センサに限られず、フォトセンサであってもよい。
（カバー部材61）
前記カバー部材61は、背面側及び左側（スロットマシン側）が開口し前記ベース部材62を被覆可能なケース状の蓋である。そして、図３に示すように、正面中央部に形成された孔から、詰まり解除機構70としてのつまみ72が手前側に向かって突出している。また、カバー部材61の底部であって、ベース部材62のメダル受け口67の下方に位置する部分には、後述する詰まり解除機構70の作動によりキャンセルされるメダルを落下させるためのメダル落下口69が形成されている。
【００３９】
なおカバー部材61の裏側には、先端に鈎部を有する係合片68が背面側に向かって突設されており（図１参照）、この係合片68は、カバー部材61を閉じたときには、先端の鈎部が本体カバー30の前面板34の裏面側に設けられた係止爪と係合するようになっている。そして、係合片68と本体カバー30との係合を外すことにより、カバー部材61がヒンジ63を中心に手前側に回動可能となり、ノズル部60の前面を開放することができるようになっている。係合片68と本体カバー30との係合解除は、特に図示しないが、カバー部材61の正面側に設けられたキー孔からキー（例えばメダル貸出機２のキー）の先端を差し込んで、係合片68を下側に弾性変形させることにより、鈎部を係止爪から外すものである。カバー部材61は、メダル詰まりやメンテナンス時などに開くことができる。
【００４０】
（詰まり解除機構70）
詰まり解除機構70は、前記カバー部材61を開くことなく、メダル移送路65の途中で詰まったメダルを装置外に排出させるための機構であり、図６に示すように、ベース部材62に取り付けられたスライド部71A及び固定部71Bからなる前壁部71と、スライド部71Aを上下に移動可能に支持するガイドレール73とから構成されている。
前壁部71は、図６及び図８に示すように、メダル移送路65を正面側から覆う板部材であり、メダル移送路65の垂直落下部65Aの正面側に位置するスライド部71Aと、傾斜転送部65Bの正面側に位置する固定部71Bとに分割されている。スライド部71Aは、左右の両端部を、基体62Aに設けられたガイドレール73に係合させることにより、上下方向にスライド可能に支持されている。また、スライド部71Aの高さ方向の中心部よりやや下側には、メダルの直径よりも大きい横幅を有する四角形状の開口部72が形成されている。開口部72の縦寸法は、メダルの表裏面が前方又は後方に傾斜して通過することができればよいので、必ずしもメダルの直径よりも大きく形成する必要はないが、後述するようにスライド部71Aが下方に位置しているときには垂直落下部65Aを通過するメダルが当該開口部72を通り抜けることができず、かつスライド部71Aを上方に押し上げたときには、垂直落下部65Aの下側にメダルが通過可能な脱落開口720（図７及び図９参照）を形成するのに必要十分な寸法に形成されている。
【００４１】
前記ガイドレール73は、断面コ字型に形成され、スライド部71Aの側端部を挟持するとともに、側面部の上側には、縦長の溝部730が形成されている。溝部は、ガイドレール73の内側に設けられた凹部であっても、ガイドレール73の側面部を貫通するスリット（長孔）であってもよい。一方、スライド部71Aの側端部には、左右方向に張り出し、前記溝部に係合可能な突起710が設けられている。そして、スライド部71Aは、溝部730に突起710を係合させることで、突起710が溝部730の下端部に当接する位置（図８参照・以下、下降位置という）から、スライド部71Aの上端がガイドレール73の上端とほぼ同じ高さとなる位置（図７及び図９参照・以下、上昇位置という）まで、上下にスライド自在になるものである。
【００４２】
スライド部71Aは、常態においては、図６及び図８に示すように下降位置にあり、その下端はメダル落下口69から下方に突出している。そしてこのとき、開口部72は垂直落下部65Aとほとんど重複しない位置となる高さにある。このため、図６に示すように、スライド部71Aの裏面と、基体62Aのメダル当接面621及びメダル転送面622による出っ張り部分とが密着し、メダル移送路65を通過するメダルが基体62Aとスライド部71Aに挟まれて、落下することなく通過できるようになっている。つまり、メダル移送路65の垂直落下部65A（図８参照）においては、メダル受け口67において湾曲部620aの奥側から手前側に向かって移送されてくる遊技メダルは、手前側に飛び出す方向に落下移動しようとするが、スライド部71Aが正面側からそれを阻止している。スライド部71Aの裏面に衝突した遊技メダルは起立状態となって、メダル当接面621に当接し、進路変更してメダル転送面622をメダル排出口66に向かって転動してゆくものである。
【００４３】
一方、メダル落下口69から突出しているスライド部71Aの下端部を下から押し上げると、スライド部71Aはガイドレール73にガイドされつつ上方に移動する。そして、図７及び図９に示す上昇位置まで移動させると、開口部72は、垂直落下部65Aの下側とほぼ重複し、メダル移送路65のこの部分には前壁部71が無くなって、脱落開口720が形成される。スライド部71Aを押し上げている手を離せば、スライド部71Aは自重で元の位置に戻る。なお、特に図示しないが、スライド部71Aの上端部とカバー部材61の天井面との間にバネを設け、スライド部71Aが常時、下側に向かって付勢されるように形成してもよい。
ここで、メダル移送路65の内部でもっともメダルが詰まりやすいのは、湾曲部620aが形成されているために開口厚が広くなっているメダル受け口67の付近と、メダル移送路65が垂直落下部65Aから傾斜転送部65Bへと屈曲する部分である。かかる部位にメダルが詰まった場合には、スライド部71Aを押し上げて、方向転換部621の付近に前記脱落開口720を形成させる。これにより、メダル移送路65の垂直落下部65Aに詰まったメダルのうち、表裏面が奥壁部620と接触していないメダル（つまり手前側に重なって詰まっているメダル）は、スライド部71Aの裏面による支えを失って、開口部72をくぐり抜けるようにして脱落開口720から下方に落下する（図７参照）。落下したメダルはメダル落下口69から装置外に排出されるので、手のひらなどで受け止めればよい。また、手前側のメダルと垂直落下部65Aの奥壁部620に挟まれて移動停止していたメダルは、手前側のメダルが落下して無くなることにより移動が自由となり、メダル当接面621及びメダル転送面622を経て、メダル排出口66に転送される。
【００４４】
なお、本実施の形態では、スライド部71Aを、メダル落下口69の下側から押し上げるように形成してあるが、スライド部71Aの正面側にカバー部材61から前方に突出するつまみを設け、このつまみを引き上げることによりスライド部71Aを上方にスライドさせるように形成してもよい。
さらに、本実施の形態では、前壁部71を、メダル移送路65の形状に合わせて逆Ｌ字型に形成し、スライド部材71Aのみがスライドするように形成しててあるが、前壁部71は必ずしも逆Ｌ字型でなくともよく、さらには、前壁部71の全体がスライド可能に形成してもよいものである。例えば、前壁部71を、メダル移送路65を正面側から被覆可能な正方形の板部材とし、この前壁部71が全体でスライド可能となるように形成してもよい。この場合には、開口部72を垂直落下部65Aの位置にのみ重なるように設けてもよいし、垂直落下部65Aと傾斜転送部65Bにわたって重複する大きさの開口部72を設け、前壁部71の押し上げによりメダル転送面622にあるメダルも開口部72を抜けて下方に落下するように形成してもよい。後者の場合には、メダル落下口69を、メダル移送路65の横幅全長にわたって形成すればよい。
【００４５】
（前壁部一時係止装置）
ところで、上記構成において、スライド部71Aが上側に移動し開口部72からメダル移送路65内のメダルを排出可能となる位置でスライド部71Aを固定するとともに、固定されているスライド部71Aをさらに押し上げることにより、固定が解除されてスライド部71Aが元の位置に戻るような前壁部一時係止装置を設けてもよい。
具体的には、図１０に示すように、ガイドレール73に設けた溝部730の上部に、略ハート形の往復溝を設けたものとすることができる。この往復溝は、往路731と復路732からなり、往路721と復路732の間にはスライド部71Aの突起710が係止される係止部733が形成されているとともに、復路732の端部には係止部733よりも上方に位置する戻り部734が形成されている。さらに、往路731と係止部733の境目には段差735が、往路721と復路732の境目には段差736がそれぞれ形成されていて、往路731よりも係止部733の方が低く（深く）、往路731よりも復路732の方が高く（浅く）なるように形成されている。また復路732は、係止部733から下に向かうほど高くなる傾斜を有している。一方、スライド部71Aの突起710は、幅方向（溝部730方向）に出没自在となるよう、バネにより付勢されている。
【００４６】
そして、スライド部71Aを押し上げると、突起710は溝730に添って上昇移動し、往路731と復路732の境目では、段差736により高くなっている復路732には進まず、往路731に進入する。スライド部71Aの上昇に伴い、往路731を上昇移動した突起710は、段差735を乗り越えて係止部523に係止される。係止部733は往路731よりも低い位置にあるので、突起710は係止部733に位置するとバネの力によってスライド部71Aの幅方向外側に突出する。これにより、スライド部71Aが位置固定される。次にこの状態でスライド部71Aを上方に僅かに押し上げると、突起710は段差735に邪魔されて往路731には移動せず、係止部733から戻り部734に移動する。これにより、スライド部71Aの固定が解除され、スライド部71Aを支えている手を離せば、スライド部71Aは自重により又はバネの力によって下方に移動する。突起710は往路732の深さの傾斜に合わせて、徐々にスライド部71Aの内部に押し入れられ、往路731と復路732の境目では、復路732の方が高くなっているので、段差736を乗り越えて下降し、再び幅方向に突出する。そして、突起710が溝部730の下端部に当接することで、スライド部71Aの下降は停止する。
【００４７】
このように前壁部一時係止装置を設けることにより、スライド部71Aから手を離してもメダルキャンセル状態を保つことができるので、例えば一括投入したメダルのスロットマシン１への移送を、排出装置80の作動なしに容易に中途キャンセルすることができるというメリットがある。
なお、前壁部一時係止装置の構成は上述したものに限られない。押し上げ作動によって固定されたものがさらに押すことで固定解除される機構であれば、公知のいかなる手段を用いても構わない。
さらに、前記前壁部一時係止装置によってスライド板71Aが上方に移動した状態（メダルキャンセル状態）となっている場合に、これを報知するための報知部を設けてもよい。これは、特に図示しないが、例えば本体カバー30やノズル部60の表面に取り付けた報知ランプとすることができる。そして、通常時（メダルキャンセル状態でない場合）にはランプは消灯しており、スライド板71Aが上昇位置で固定されメダルキャンセル状態になっているときに通電して、ランプが点灯するように形成する。この報知部を付けることにより、外部からではわからない回動板71の開閉状態を知ることができ、過ってキャンセル状態のままメダル送り装置40を作動させてしまうのを防ぐことができるものである。
【００４８】
（遊技メダルの移送）
次に、上記構成を有する一括投入機構３における遊技メダルの移送過程を、図１及び図５に基づき説明する。
まず、一括投入開口31から遊技メダルを投入すると、遊技メダルは搬送ベルト53の後方部上面と開閉板82の上面に積み重なるように落下し、メダル貯め部44に貯留される。また、メダル貸出機２に紙幣を投入した場合には、貸し出しメダル払い出し装置23から遊技メダルが払い出され、払い出し通路42を通ってメダル貯め部44に貯留される。次に、一括投入機構３の上面板32を手で触れると、タッチセンサが反応して、搬送装置50が作動を開始する。すなわち、駆動モータ55が駆動して、ローラ51が回転し、搬送ベルト53が前方に移動開始する。
【００４９】
搬送ベルト53が移動開始すると、搬送ベルト53の後方部上面に乗っている遊技メダルが前方に移動し、その上方に貯まっているメダルも引きずられて、移動調整弁43の下方を潜ってメダル戻り部45に移動する。ここで、移動調整弁43は、前方（メダル戻り部側）には回動しないので、メダル貯め部44の上部に貯留されているメダルが、一気にメダル戻り部45に雪崩れ込むのを防ぐことができる。
搬送ベルト53により前方に移送された遊技メダルのうち、搬送ベルト53の上面に乗っている遊技メダルは、搬送ベルト53と逆転ローラ52の下面との間の送出間隙54をすり抜けて、一枚ずつ、メダル排出部47へと移送される。一方、搬送ベルト53の上方に重なっている遊技メダルは、逆転ローラ52と接触することにより、逆転ローラ52に設けられた撹拌溝に引っかかり、上方後部のメダル戻り部45に蹴り戻される。逆転ローラ52は、ローラ51よりも高速回転しているので、効率よくメダルを蹴り出すことができる。
【００５０】
ここで、メダル戻り部45に滞留するメダルの量が多いと、逆転ローラ52によって後方に蹴り出すのに支障をきたし、送出間隙54でメダル詰まりが発生するおそれがある。しかし、移動調整弁43は、後方（メダル貯め部側）に回動可能に取り付けられているので、メダル戻り部45内に滞留したメダルはメダル貯め部44に逆流し、メダル戻り部45の上方に空間が形成される。これにより、逆転ローラ52によるメダルの蹴り出しがスムーズに行われるものである。
搬送装置50から送り出された遊技メダルは、メダル排出部47から排出され、ノズル部60の湾曲部620aに誘導されつつメダル受け口67に入り、メダル移送路65を通ってメダル排出口66から排出される。メダル排出口66はスロットマシン１のメダル投入口10の側方移送通路12と位置あわせされているので、遊技メダルは側方移送通路12を通って、上部投入開口11に投入される。
【００５１】
ところで、投入された遊技メダルを全て移送し終える前にメダル送り装置50の作動を停止させた場合（タッチセンサから手を離した場合）には、搬送ベルト53の上面やメダル貯め部33に遊技メダルが残留したままとなる。この場合、遊技を終了するなどにより、残留している遊技メダルをスロットマシン１に投入したくない場合には、所定のリセットスイッチ（図示せず）を操作する。すると、図５に示すように、排出装置80のソレノイド81が作動して開閉板82を開くとともに、メダル送り装置50の駆動モータ55が逆転駆動する。これにより、搬送ベルト53の上面にある遊技メダルは後方に移動し、開閉板82が開くことにより、メダル貯め部33の底部に開口するキャンセル開口39から下方に落下する。メダル貯め部33に貯留されていた遊技メダルも、同様にキャンセル開口39から落下する。
【００５２】
このようにしてメダル送り装置40から排出された遊技メダルは、メダル取り出し皿90に貯留されるので、凹部91からメダルを取り出せばよい。なお、一括投入機構３の内部に、ゴミなどの異物が混入した場合にも、上記したのと同様にして、取り出すことができるのは言うまでもない。
なお、搬送装置50の作動中にメダル詰まりの発生が検知された場合には、所定の警報が発せられるとともに、駆動モータ55の駆動が停止する。メダル詰まりは、駆動モータ55及びローラ51に設けた回転検知センサにより認識することができる。回転検知センサは、具体的には、例えばローラ51の回転軸に断面Ｄ字型の突起を設け、この突起を挟んでフォトセンサを設け回転軸の回転を検知するものとすることができる。そして例えば、駆動モータ55が駆動しているにもかかわらず一定時間ローラ51の回転を検知しない場合には、搬送装置50の内部でメダル詰まりが起きていると判断できる。ちなみに、メダル検知センサ64がメダルを検知したままになっている場合には、ノズル部60の内部でメダル詰まりが起きていると判断できる。
【００５３】
本実施の形態によれば、メダル貸出機２から貸し出される遊技メダルをスロットマシン１に手に持って移動させなくても、あるいはスロットマシン１から入賞により払い出されたメダルを、一枚ずつ手でメダル投入口10に投入させなくても、一括投入機構３によりメダル投入口10に投入することができ、遊技を効率的に行うことができる。また、ノズル部60でメダル詰まりが発生した場合には、カバー部材61を開かなくてもスライド部71Aを押し上げるだけで詰まりが解除できるので、遊技者は店員を呼ばなくても自らの手でメダル詰まりを解消することができる。さらに、詰まり解除機構70に前壁部一時係止装置を設ければ、ノズル部60において簡易にメダルキャンセルが可能となり、メダル送り装置40の作動を停止させなくてもスロットマシン１へのメダル投入を中止することができる。
【図面の簡単な説明】
【００５４】
【図１】本発明の実施の形態であって、一括投入機構の断面図である。
【図２】本発明の実施の形態であって、スロットマシン及びメダル貸出機の斜視図である。
【図３】本発明の実施の形態であって、メダル投入口及び一括投入機構の拡大斜視図である。
【図４】本発明の実施の形態であって、メダル送り装置の斜視図である。
【図５】本発明の実施の形態であって、一括投入機構の部分断面図である。
【図６】本発明の実施の形態であって、ノズル部の断面図である。
【図７】本発明の実施の形態であって、ノズル部の断面図である。
【図８】本発明の実施の形態であって、ノズル部の正面図である。
【図９】本発明の実施の形態であって、ノズル部の正面図である。
【図１０】本発明の実施の形態であって、前壁部一時係止装置の一例を示す概略図である。
【符号の説明】
【００５５】
１  スロットマシン（遊技機）
10  メダル投入口                    11  上部投入開口
12  側方移送通路                    13  前扉
14  図柄表示窓                      15  下皿
16  操作部
２  メダル貸出機（遊技機用台間機）
20  外箱                            21  紙幣投入口
22  紙幣カウンター                  23  貸し出しメダル払い出し装置
３  一括投入機構
30  本体カバー                      31  一括投入開口
32  上面板                          33  底板
34  前面板                          35  背面板
36  側面板                          37  立設壁
38  底部開口                        39  背面開口
40  メダル送り装置                  41  本体ベース
42  払い出し通路                    43  移動調整弁
44  メダル貯め部                    45  メダル戻り部
46  平坦部                          47  メダル排出部
48  受入開口                        49  キャンセル開口
50  搬送装置                        51  ローラ
52  逆転ローラ                      53  搬送ベルト
54  送出間隙                        55  駆動モータ
60  ノズル部（投入導入路）          61  カバー部材
62  ベース部材                     62A  基体
620  奥壁部                        620a  湾曲部
621  メダル当接面                   622  メダル転送面（底面部）
63  ヒンジ                          64  メダル検知センサ
65  メダル移送路                   65A  垂直落下部
65B  傾斜転送部                      66  メダル排出口
67  メダル受け口                    68  係合片
69  メダル落下口（落下開口）
70  詰まり解除機構                  71  前壁部
71A  固定部                         71B  スライド部
72  開口部                          73  ガイドレール
710  突起                           720  脱落開口
730  溝部
80  排出装置                        81  ソレノイド
82  開閉板                          83  可動軸
84  固定軸
90  メダル取り出し皿                91  凹部
92  ヒンジ
100  仕切棒
【図１】
0004608447.tif 000002
【図２】
0004608447.tif 000003
【図３】
0004608447.tif 000004
【図４】
0004608447.tif 000005
【図５】
0004608447.tif 000006
【図６】
0004608447.tif 000007
【図７】
0004608447.tif 000008
【図８】
0004608447.tif 000009
【図９】
0004608447.tif 000010
【図１０】
0004608447.tif 000011